(57)【要約】【課題】ラベルの見映えへの影響を抑える。【解決手段】各印字項目について少なくとも用紙搬送方向の印字位置と用紙搬送方向の印字範囲とが設定された印字フォーマットデータに基づいて、台紙レスラベル用紙に印字を行う台紙レスラベルプリンタにおいて、用紙搬送方向の印字範囲に対し、当該印字範囲に対応する印字データの用紙搬送方向の印字高さが満たない印字項目が存在し、かつ、当該印字高さが用紙搬送方向の印字範囲に満たない印字項目の印字範囲のうち前記印字高さが満たない部分と用紙搬送方向の印字位置が重なる印字項目が他に存在しない場合に、  当該印字高さが用紙搬送方向の印字範囲に満たない印字項目よりも用紙搬送方向下流側の他の印字項目の用紙搬送方向の印字位置を、前記印字高さが用紙搬送方向の印字範囲に満たない分、用紙搬送方向上流側に詰めるように変更可能である。【選択図】図７
2018130964.tif 000002
【特許請求の範囲】
【請求項１】
各印字項目について少なくとも用紙搬送方向の印字位置と用紙搬送方向の印字範囲とが設定された印字フォーマットデータに基づいて、台紙レスラベル用紙に印字を行う台紙レスラベルプリンタにおいて、
用紙搬送方向の印字範囲に対し、当該印字範囲に対応する印字データの用紙搬送方向の印字高さが満たない印字項目が存在し、かつ、当該印字高さが用紙搬送方向の印字範囲に満たない印字項目の印字範囲のうち前記印字高さが満たない部分と用紙搬送方向の印字位置が重なる印字項目が他に存在しない場合に、
当該印字高さが用紙搬送方向の印字範囲に満たない印字項目よりも用紙搬送方向下流側の他の印字項目の用紙搬送方向の印字位置を、前記印字高さが用紙搬送方向の印字範囲に満たない分、用紙搬送方向上流側に詰めるように変更可能であることを特徴とする台紙レスラベルプリンタ。
【発明の詳細な説明】
【技術分野】
【０００１】
本発明は、台紙のない用紙に品名や値段などを印字しカットし、商品に貼付するラベルとして発行する台紙レスラベルプリンタに関する。
【背景技術】
【０００２】
従来、台紙レスラベルプリンタで、商品に合わせて印字量が多く長いラベルが必要な場合や、逆に短いラベルが必要な場合に、それぞれ印字フォーマットデータを選択して印字しカットすることで、従来のように、予め一定の長さにカットされた用紙を用いる方式に比べて、用紙の節約や、紙交換を減らすことが可能な技術が提案されている（例えば、特許文献１参照）。
【先行技術文献】
【特許文献】
【０００３】
【特許文献１】特開２００７−８５０９号公報
【発明の概要】
【発明が解決しようとする課題】
【０００４】
しかし、この従来技術は、印字フォーマットの種類を多数設定する必要があるが、この設定は、各印字項目について印字位置や、印字範囲などを全て設定入力しなければならず、しかも、小売店で使用する場合には、商品表示をするものであるために、印字項目間の寸法によって見映えの良し悪しにも影響するので、設定後にフォーマットの確認作業も必要であるために大きな問題であった。
【０００５】
本発明は、このような事情を考慮してなされたものであり、その目的は、印字データ量に違いのあるラベルを発行する場合でも、印字フォーマットの種類を減らすことができ、ラベルの見映えへの影響を抑えることができる台紙レスラベルプリンタを提供することにある。
【課題を解決するための手段】
【０００６】
上記問題を解決するために、本発明の一実施形態に係る台紙レスラベルプリンタは、各印字項目について少なくとも用紙搬送方向の印字位置と用紙搬送方向の印字範囲とが設定された印字フォーマットデータに基づいて、台紙レスラベル用紙に印字を行う台紙レスラベルプリンタにおいて、用紙搬送方向の印字範囲に対し、当該印字範囲に対応する印字データの用紙搬送方向の印字高さが満たない印字項目が存在し、かつ、当該印字高さが用紙搬送方向の印字範囲に満たない印字項目の印字範囲のうち前記印字高さが満たない部分と用紙搬送方向の印字位置が重なる印字項目が他に存在しない場合に、当該印字高さが用紙搬送方向の印字範囲に満たない印字項目よりも用紙搬送方向下流側の他の印字項目の用紙搬送方向の印字位置を、前記印字高さが用紙搬送方向の印字範囲に満たない分、用紙搬送方向上流側に詰めるように変更可能であることを特徴とする。
【発明の効果】
【０００７】
本発明によれば、印字データ量に違いのあるラベルを発行する場合でも、印字フォーマットの種類を減らすことができ、ラベルの見映えへの影響を抑えることができる。
【図面の簡単な説明】
【０００８】
【図１】本発明の実施形態による台紙レスラベルプリンタの機構を示す概略図である。
【図２】本実施形態による台紙レスラベルプリンタの構成を示すブロック図である。
【図３】本実施形態による台紙レスラベルプリンタで管理するフォーマットファイルのデータ構成を示す概念図である。
【図４】本実施形態による台紙レスラベルプリンタで管理する商品ファイルのデータ構成を示す概念図である。
【図５】本実施形態による台紙レスラベルプリンタの動作を説明するためのメインのフローチャートである。
【図６】本実施形態によるドットデータへの展開ルーチンの動作を説明するためのフローチャートである。
【図７】本実施形態による、カットされたラベルの一例を示す模式図である。
【発明を実施するための形態】
【０００９】
以下、本発明の一実施形態を、図面を参照して説明する。
【００１０】
図１は、本発明の実施形態による台紙レスラベルプリンタの機構を示す概略図である。図１において、表面が感熱発色面、裏面が粘着面である台紙レスラベル用紙１をロール状に巻いたラベルロール２から、用紙を引き出してサーマルヘッド３とステッピングモータ駆動されるプラテンローラ４との間で挟んで用紙を搬送するとともに加熱して印字を行う。さらに、印字後の用紙をカッター５でカットし、ラベル６として発行するようになっている。
【００１１】
図２は、本実施形態による台紙レスラベルプリンタの構成を示すブロック図である。本実施形態による台紙レスラベルプリンタは、図２に示すように、ＣＰＵ１０、フラッシュメモリ１１、ＲＡＭ１２、操作部１３、表示部１４、通信部１５、インタフェース１６、サーマルヘッド１７（図１のサーマルヘッド３に相当）、ステッピングモータ１８、カッター１９（図１のカッター５に相当）を備える。
【００１２】
ＣＰＵ１０は、フラッシュメモリ１１上のプログラムを実行して本ラベルプリンタの動作を統括する中央演算処理装置である。フラッシュメモリ１１は、本ラベルプリンタの制御プログラムや、制御用データ等を記憶する読み出し専用メモリである。
【００１３】
ＲＡＭ１２には、一時的にデータを呼び出して（読み出して）処理するためのワークエリアがあり、その中には、印字データをドットデータに展開するドット展開エリア、フォーマットファイルから１つのフォーマットデータを呼び出して記憶する呼出フォーマットエリア、商品データを呼び出して記憶する呼出商品データエリア等がある。
【００１４】
また、このＲＡＭ１２には、ラベル印字のフォーマットが定義されたフォーマットファイル（図３を参照）、ラベル印字用の各種商品データが定義された商品ファイル（図４を参照）や、フォントファイル（キャラクタジェネレータ）等が記憶されており、電源オフ時も商品ファイルや、書式ファイルを保持するようバッテリでバックアップされている。また、本台紙レスラベルプリンタの現在のモード（例えば、値付モード、設定モード、レポートモード、メンテナンスモード）もＲＡＭ１２に記憶されている。
【００１５】
操作部１３は、本ラベルプリンタの操作を行うための入力装置であり、表示部１４と一体に構成されたタッチパネルになっている。表示部１４は、各種のメニュー画面やデータを表示する液晶ディスプレイである。通信部１５は、ホストコンピュータと通信を行う。
【００１６】
インタフェース１６は、ＣＰＵ１０等と後述する各駆動部や、モータとの間でデータの入出力を行う。サーマルヘッド１７は、ＣＰＵ１０の指令に基づいて用紙１を発熱する。ステッピングモータ１８は、ＣＰＵ１０の指令に基づいて、所定の印字位置、もしくは加熱位置へラベル用紙１が搬送されるよう、ラベルロール２や、プラテンローラ４を回転駆動する。カッター１９は、ＣＰＵ１０の指令に基づいて、印字後の用紙１をカットする。
【００１７】
図３は、本実施形態による台紙レスラベルプリンタで管理するフォーマットファイルのデータ構成を示す概念図である。フォーマットファイルには、印字フォーマットを各種設定でき、フォーマットの種類を特定するフォーマット番号や、用紙のカット長さを決定するラベル長、さらに、印字項目として、商品名、添加物、メッセージ、原材料、値段、バーコード、単位、賞味期限、加工日時、店名等があり、それらの印字項目には、それぞれ、印字位置（ラベルの左上を０，０とし、印字範囲の左上端を指す）、用紙搬送方向の印字範囲である高さ、高さと直交方向の印字範囲である長さ、文字フォント種類を特定するフォントを設定する。
【００１８】
図４は、本実施形態による台紙レスラベルプリンタで管理する商品ファイルのデータ構成を示す概念図である。商品ファイルには、品番、商品名、値段、バーコード、添加物、メッセージ、原材料等の項目を設定する。各項目で複数行の印字データを設定する場合には、各行の最後に改行コードを入れる。
【００１９】
以下、フローチャートを用いて、本実施形態による台紙レスラベルプリンタの動作を説明する。図５は、本実施形態による台紙レスラベルプリンタの動作を説明するためのメインのフローチャートである。図６は、本実施形態によるドットデータへの展開ルーチンの動作を説明するためのフローチャートである。また、図７は、本実施形態による、カットされたラベルの一例を示す模式図である。なお、図５及び図６に示す各ステップは、ＣＰＵ１０が制御する。
【００２０】
図５において、まず、ＲＡＭ１２を参照し、ラベル発行を行う値付モードであるか否かを判断する（ステップＳ１）。値付モードでないと判断した場合には（ステップＳ１：ＮＯ）、設定モードでのファイルデータ設定や、レポートモードでの実績レポート出力や、メンテナンスモードでのメンテナンス等を行い（ステップＳ２）、ステップＳ１に戻る。
【００２１】
一方、値付モードであると判断した場合には（ステップＳ１：ＹＥＳ）、ＲＡＭ１２において、フォーマットファイルから呼出フォーマットエリアに所望のフォーマットデータを呼び出す（ステップＳ３）。なお、所望のフォーマットデータとは、操作部１３を介して操作者によって指定されたフォーマット番号によって特定されるフォーマットのフォーマットデータである。例えば、図３に示すフォーマットファイルがＲＡＭ１２に記憶されている場合に、フォーマット番号＃１が指定されたときは、フォーマット番号＃１によって特定されるフォーマットのフォーマットデータを呼び出すことになる。なお、フォーマット番号＃１によって特定されるフォーマットのフォーマットデータにおいて、品名は３行分、添加物は４行分の印字範囲があるものとする（図７の矢印の左側を参照）。
【００２２】
次に、ＲＡＭ１２において、商品から呼出商品データエリアに値付けする商品の商品データを呼び出す（ステップＳ４）。なお、値付けする商品は、操作部１３を介して操作者が品番を指定することによって特定される。例えば、図４に示す商品ファイルがＲＡＭ１２に記憶されている場合に、品番０００１が指定されたときは、値付けする商品の商品データとして、品番０００１によって特定される商品の商品データを呼び出すことになる。なお、品番０００１によって特定される商品の品名と添加物は、それぞれ１行分の印字データ量であるものとする（図４を参照）。
【００２３】
次に、ステップＳ３で呼び出したフォーマットに従って、ステップＳ４で呼び出した商品データの印字データを、ドットデータに展開する（ステップＳ５）。なお、詳細は、図６で説明する。
【００２４】
次に、ステップＳ５で展開したドットデータに基づいて、サーマルヘッド１７とプラテンローラ４とを制御し、用紙１に印字を行う（ステップＳ６）。そして、呼出フォーマットエリアのラベル長データに基づいて、カッター１９を制御し、用紙１をカットする（ステップＳ７）。つまり、ステップＳ３でフォーマット番号＃１のフォーマットを呼び出し、ステップＳ４で品番０００１の商品の商品データを呼び出していた場合には、図７の矢印の右側のようなラベルが発行されることになる。そして、ステップＳ１に戻る。
【００２５】
図６において、まず、図５のステップＳ３で呼び出したフォーマットデータの中で、判断処理（ステップＳ１２〜ステップＳ１５の各判断処理のうち少なくともステップＳ１２の判断処理）がされていない、用紙搬送方向に対して最も上流側の印字項目を検索する（ステップＳ１１）。例えば、上記判断処理の初回であれば、最も上流側の印字項目は「商品名」となる。
【００２６】
次に、ステップＳ１１で検索した印字項目が「品名」であるか否かを判断し（ステップＳ１２）、「品名」でない場合には、「添加物」であるか否かを判断し（ステップＳ１３）、「添加物」でない場合には、「原材料」であるか否かを判断し（ステップＳ１４）、「原材料」でない場合には、「メッセージ」であるか否かを判断する（ステップＳ１５）。
【００２７】
なお、ステップＳ１２〜Ｓ１５において判断する「品名」、「添加物」、「原材料」、「メッセージ」の各印字項目は、それぞれの印字データ量に応じて、用紙搬送方向の印字範囲（高さ）を変化させる印字項目として予め定めたものである。より詳細には、上記各印字項目は、用紙搬送方向の印字範囲（例えば行数）に対し、用紙搬送方向の印字データ量（例えば行数）が少ない場合に、当該印字範囲を小さく（短く）させる印字項目として予め定めたものである。
【００２８】
ステップＳ１１で検索した印字項目が、上記「品名」、「添加物」、「原材料」「メッセージ」のいずれかに該当する場合には（ステップＳ１２：ＹＥＳ、ステップＳ１３：ＹＥＳ、ステップＳ１４：ＹＥＳ、ステップＳ１５：ＹＥＳ）、該当印字項目について該当する印字データが、フォーマットデータの当該印字項目の高さ（用紙搬送方向の印字範囲）を満たすか否かを判断する（ステップＳ１６）。つまり、ステップＳ１２〜Ｓ１５においてＹＥＳとなった各印字項目について、ステップＳ３で呼び出したフォーマットデータの高さ（用紙搬送方向の印字範囲）と、ステップＳ４で呼び出した商品データにおける用紙搬送方向の印字データ量とを比較し、高さに対し印字データ量が少ない場合には満たさないと判断し、少なくない場合には満たすと判断する。例えば、印字項目「品名」の場合、用紙搬送方向の印字範囲（高さ）は３行分であるのに対し、印字データは１行分と少ないため、満たさないと判断する。
【００２９】
そして、印字データが、フォーマットデータの該当印字項目の高さを満たさないと判断した場合には（ステップＳ１６：ＮＯ）、満たさない部分（余裕の高さ部分）と用紙搬送方向との位置が重なる他の印字項目（ステップＳ３で呼び出したフォーマットデータの他の印字項目）の印字データがあるか否かを判断する（ステップＳ１７）。換言すれば、満たさない部分（余裕の高さ部分）と高さ位置が重なる印字データの他の印字項目があるか否かを判断する。即ち、呼び出したフォーマットデータの他の印字項目の印字データであって、余裕の高さ部分に印字する印字データがあるか否かを判断する。例えば、印字項目「品名」の場合、用紙搬送方向の印字範囲（高さ）は３行分、印字データは１行分であるため、満たさない部分（余裕の高さ部分）は２行分であるため、「バーコード」「値段」「単位」「添加物」「店名」の各印字項目の印字データであって、当該２行分の部分に印字する印字データがあるか否かを判断する。つまり、ステップＳ１７では、印字項目が用紙搬送方向に並列に配置されているようなフォーマットデータがステップＳ３で呼び出された場合に、当該並列に配置された一の印字項目について満たさない部分（余裕の高さ部分）があったときに、当該フォーマットデータにおいて、当該並列に配置された他の印字項目の印字データが当該満たさない部分に印字されることになっているかどうかを判断する。
【００３０】
そして、高さ位置が重なる印字データの他の印字項目がないと判断した場合には（ステップＳ１７：ＮＯ）、高さ範囲の満たさない分（余裕分）、呼出フォーマットデータ中の印字位置順において以降の全項目の用紙搬送方向の位置データを、上方に詰めるように減算して位置を変更する（ステップＳ１８）。例えば、ステップＳ１６で印字項目「品名」について判断した場合には、バーコード、値段、単位、添加物、店名の各印字項目の用紙搬送方向の位置データは、「品名」の２行分小さくなる。即ち、当該各印字項目は、用紙搬送方向に対して、「品名」の２行分上流に詰めて印刷されるようにする。また、ラベル長データも「品名」の２行分短くする。
【００３１】
次に、呼出フォーマットデータの全項目について処理したか否かを判断し（ステップＳ１９）、全項目について処理していない場合には（ステップＳ１９：ＮＯ）、ステップＳ１１に戻る。
【００３２】
一方、呼出フォーマットデータの全項目について処理した場合には（ステップＳ１９：ＹＥＳ）、ステップＳ１１で検索した印字項目について、呼出商品データエリアの同じ項目の商品データを、その印字範囲の左上詰めで、ドット展開エリアにドットデータに変換して書き込む（ステップＳ２０）。この際、呼び出しフォーマットエリアのフォーマットデータの位置、フォントデータに基づいて行う。そして、図５のメインルーチンに戻る。
【００３３】
メインルーチンに戻る際、フォーマット番号＃１、品番０００１が入力されていた場合には、図７の右図のように、ドットデータを展開する。つまり、品名以降の印字項目は、「品名」の２行分、上方に移動し、さらに、「添加物」以降である「店名」は、「添加物」の３行分、上方に移動する。そして、呼出フォーマットデータのラベル長データは、「品名」の２行分と「添加物」の３行分、短くなる。
【００３４】
一方、ステップＳ１１で検索した印字項目が「品名」、「添加物」、「原材料」、「メッセージ」のいずれにも該当しない場合（ステップＳ１２：ＮＯ、ステップＳ１３：ＮＯ、ステップＳ１４：ＮＯ、ステップＳ１５：ＮＯ）には、ステップＳ１６、Ｓ１７、Ｓ１８を飛ばしてステップＳ１９に進む。また、印字データが、フォーマットデータの該当印字項目の高さを満たすと判断した場合（ステップＳ１６：ＹＥＳ）には、ステップＳ１７、Ｓ１８を飛ばしてステップＳ１９に進む。また、高さ位置が重なる印字データの他の印字項目があると判断した場合には（ステップＳ１７：ＹＥＳ）には、ステップＳ１８を飛ばしてステップＳ１９に進む。
【００３５】
なお、本発明は、パックされた生鮮食品に貼るラベルでは、商品の表面には、品名、値段を印字した値付ラベルを貼り、商品の裏面には、添加物や、原材料を主に印字した裏面ラベルを貼る場合があり、これらの２枚のラベルを一度に発行できるラベルプリンタに適用してもよい。
【００３６】
また、フォーマットデータに印字項目の回転角度を設定できるようにしてもよい。また、印字範囲を短縮できる項目は、品名、添加物、原材料、メッセージに限らず、用紙搬送方向の印字範囲がその項目の印字データ量によって変化する項目であればよい。また、印字位置変更のタイミングは、印字の際や、ドット展開時に限らず、印字データが決定した時点、または、それ以降であればよい。
【００３７】
また、印字位置変更は、印字データ量が印字範囲に満たない場合に限らず、印字範囲を超える場合でもよい。この場合、超えた分、以降の項目について、離れる方向に位置を変更する。このようにすることで、フォーマットデータから用紙搬送方向の印字範囲の設定操作を省くことができる。
【００３８】
また、台紙レスラベルプリンタは、ラベル発行時に用紙の粘着面を活性化させるものでもよい。また、用紙のカットは、手動で行うものでもよい。また、ラベルプリンタ単体に限らず、秤や、自動貼付装置、包装機、あるいはＰＯＳを備えたものでもよい。
【００３９】
また、本実施例では各項目の印字データをフォーマットの印字範囲に上詰めで位置させたが、これに限らず、下詰めで位置させてもよい。下詰めの場合、ステップＳ１８の項目位置の変更処理において、高さを満たさないと判断した項目の以降の項目だけでなく、高さを満たさないと判断した当該項目も、位置を変更する。
【００４０】
なお、本実施例では、フォーマットの位置データが印字範囲の左上端を指したが、これに限らず、右上端、左下端、右下端を指してもよい。なお、本実施例の台紙レスラベルプリンタは、印字項目について該当する印字データが用紙搬送方向の印字範囲を満たすか否かを判断し、満たさない場合には、少なくとも、それ以降の他の印字項目の位置を詰めるように変更するものでもある。また、本実施例の台紙レスラベルプリンタは、満たさない部分と用紙搬送方向の位置が重なる他の印字項目の印字データがある場合とない場合とで、変更の処理が異なるものでもある。
【００４１】
以下に付記を開示する。
（付記１）付記１に係る台紙レスラベルプリンタは、各印字項目について少なくとも用紙搬送方向の印字位置と用紙搬送方向の印字範囲とが設定された印字フォーマットデータに基づいて、台紙レスラベル用紙に印字を行い、カットしてラベルを発行する台紙レスラベルプリンタにおいて、用紙搬送方向の印字範囲に対し、当該印字範囲に対応する印字データの用紙搬送方向の印字高さが満たない印字項目がある場合に、当該印字項目又は他の印字項目のいずれか一方又は両方の用紙搬送方向の印字位置を、前記印字高さが用紙搬送方向の印字範囲に満たない分、用紙搬送方向に詰めるように変更（用紙の上流側に詰めるように変更、又は、用紙の下流側に詰めるように変更）することを特徴とする。即ち、印字位置を、印字範囲に対し上詰めで詰めるようにしてもよいし、印字範囲に対し下詰めで詰めるようにしてもよい（以下同様）。また、上記台紙レスラベルプリンタは、用紙搬送方向の印字範囲と、当該印字範囲に対応する印字データの用紙搬送方向の印字高さとを比較し、前記印字高さが用紙搬送方向の印字範囲に満たない印字項目について、当該印字項目又は他の印字項目のいずれか一方又は両方の用紙搬送方向の印字位置を、前記印字高さが用紙搬送方向の印字範囲に満たない分、用紙搬送方向に詰めるように変更するものであってもよい。
【００４２】
上記台紙レスラベルプリンタによれば、同じ印字項目では、印字データ量に違いのあるラベルを発行する場合でも、印字フォーマットを変更する必要がないため、印字フォーマットの種類を減らすことができる。しかも、印字項目の間隔を維持できるので、ラベルの見映えへの影響を抑えることができる。
【００４３】
上記台紙レスラベルプリンタは、予め定めた印字項目について、用紙搬送方向の印字範囲と、当該印字範囲に対応する印字データの用紙搬送方向の印字高さとを比較するものであってもよい。前記予め定めた印字項目は、品名、添加物、メッセージ、または、原材料のいずれかであってもよい。
【００４４】
上記台紙レスラベルプリンタによれば、品名、添加物、メッセージ、または原材料の印字項目について、印字データが印字範囲を満たすか否かを判断することで、これらの項目は、商品により印字データ量が異なる場合が多く、効果的である。
【００４５】
上記台紙レスラベルプリンタは、前記印字高さが用紙搬送方向の印字範囲に満たない印字項目と用紙搬送方向の印字位置が重なる他の印字項目の印字データがない場合に、当該印字項目又は他の印字項目のいずれか一方又は両方の用紙搬送方向の印字位置を、前記印字高さが用紙搬送方向の印字範囲に満たない分、用紙搬送方向に詰めるように変更するものであってもよい。
【００４６】
上記台紙レスラベルプリンタによれば、用紙搬送方向の位置が重なる他の印字項目の印字データがあるか否かにより処理を変更することで、印字項目が用紙搬送方向に並列に配置された場合であっても、支障なく用紙節約ができる。
【００４７】
（付記２）付記２に係る台紙レスラベルプリンタは、各印字項目について少なくとも用紙搬送方向の印字位置と用紙搬送方向の印字範囲とが設定された印字フォーマットデータに基づいて、台紙レスラベル用紙に印字を行う台紙レスラベルプリンタにおいて、用紙搬送方向の印字範囲に対し、当該印字範囲に対応する印字データの用紙搬送方向の印字高さが満たない印字項目が存在し、かつ、当該印字高さが用紙搬送方向の印字範囲に満たない印字項目の印字範囲のうち前記印字高さが満たない部分と用紙搬送方向の印字位置が重なる印字項目が他に存在しない場合に、当該印字高さが用紙搬送方向の印字範囲に満たない印字項目とは異なる他の印字項目の用紙搬送方向の印字位置を、前記印字高さが用紙搬送方向の印字範囲に満たない分、用紙搬送方向上流側に詰めるように変更可能であり、当該印字高さが用紙搬送方向の印字範囲に満たない印字項目の用紙搬送方向の印字位置及び、当該印字高さが用紙搬送方向の印字範囲に満たない印字項目とは異なる他の印字項目の用紙搬送方向の印字位置の両方を、前記印字高さが用紙搬送方向の印字範囲に満たない分、用紙搬送方向下流側に詰めるように変更可能である。
【００４８】
上記台紙レスラベルプリンタによれば、印字データ量に違いのあるラベルを発行する場合でも、印字フォーマットの種類を減らすことができ、ラベルの見映えへの影響を抑えることができる。
【符号の説明】
【００４９】
１  台紙レスラベル用紙
２  ラベルロール
３、１７  サーマルヘッド
４  プラテンローラ
５、１９  カッター
６  ラベル
１０  ＣＰＵ
１１  フラッシュメモリ
１２  ＲＡＭ
１３  操作部
１４  表示部
１５  通信部
１６  インタフェース
１８  ステッピングモータ
【図１】
2018130964.tif 000003
【図２】
2018130964.tif 000004
【図３】
2018130964.tif 000005
【図４】
2018130964.tif 000006
【図５】
2018130964.tif 000007
【図６】
2018130964.tif 000008
【図７】
2018130964.tif 000009